(57)【要約】【課題】ＦＭ変調アンプにおいて、入力信号をＦＭ変調回路とＦＶ変換回路を介して電圧に換える場合、信号分の周波数の偏移のみ電圧に変換して出力することができなかった。本発明は入力信号からＦＭ変調回路の周波数の偏移分のみ電圧に変換することを目的とする。【解決手段】ＦＭ変調回路とＦＶ変換回路を介して得た出力と重複する基本波発振回路とＦＶ変換回路の出力を逆位相変換回路を介して得た出力を合流させて出力させることを特徴とする基本波電圧変換波形と偏移を含む電圧波形の差分出力回路。【選択図】図１
2015139212.tif 000002
【特許請求の範囲】
【請求項１】
入力端子からＦＭ変調回路に入力、基本波発振手段を変調手段として第１のＦＶ変換回路へ接続、同時に前述基本波発振手段から逆位相反転回路を介して、第２のＦＶ変換回路に接続し双方の出力を合成回路に入力した基本波電圧変換波形と偏移を含む電圧波形の差分出力回路。
【請求項２】
ＦＭ変調回路の変調手段と第２のＦＶ変調回路に関係する基本波発振手段は、重複して接続し、同じリズムで正弦波を発振することで偏移差が無い場合、逆位相反転回路と第１のＦＶ変換回路でタイミングを合わせて互いに打消し、無電圧のアナログ信号出力を作る特徴がある請求項１記載の基本波電圧変換波形と偏移を含む電圧波形の差分出力回路。
【発明の詳細な説明】
【技術分野】
【０００１】  本発明は、ＦＭ変調アンプにおいてＦＭ偏移分のみ出力することを改善する基本波電圧変換波形と偏移を含む電圧波形の差分出力回路に関するものである。
【背景技術】
【０００２】  従来、高周波域のＦＭ変調回路で電圧に変えるには、ＦＭ検波手段を用いるが低周波域では検波手段は使えず変調無しで増幅するには、入力端子側から直接増幅器に入力していた。
【先行技術文献】
【特許文献】
【０００３】
【特許文献１】  実用新案登録第３１７５４８１号公報
【発明の概要】
【発明の解決しようとする課題】
【０００４】  ＦＭ変調アンプにおいて、ＦＭ変調回路を介してＦＶ変換回路で電圧変換しても信号分の偏移電圧が出ないので誤差信号の補正を行う場合、余分な信号電圧が出てしまう問題があった。本発明は、ＦＭ変調で信号分の周波数のずれを確実にアナログ電圧に換えることを目的にするものである。
【０００５】  オーディオ信号をサンプリング回路で標本化してＵＳＢＤＡＣを通して階段状の細かな波形を再生した場合、元のオーディオ信号と比較すると誤差が出てくる。提案者は特許文献１を基に，サンプリング周波数発振回路と逓倍器で整数倍の高周波の変調波を利用したＦＭ変調回路でＦＶ変換回路から電圧に変換しようと考案したが信号に乗せる振動も検波せず一緒に電圧に上乗せされるのでノイズが出てしまう欠点があった。
【０００６】  アナログ信号入力端子に入る信号とサンプリング回路からＵＳＢＤＡＣを経て、抵抗器群から位相反転回路を介してアナログ信号と前述の信号を両方から信号波打消回路に同時に入力、信号波打消回路の出力の誤差信号検出信号をＦＭ変調回路に入力、一方サンプリング周波数発振回路から逓倍器を介して周波数の整数倍に変換、ＦＭ変調回路の基本波信号として加えているが周波数の変化分のみ電圧出力するのである。本発明は以上の問題を改善するものである。
【発明を解決するための手段】
【０００７】  補正誤差信号検出するために入力端子からＦＭ変調回路に入力、基本波発振手段に接続且つＦＭ変調回路の出力を第１のＦＶ変換回路に、同時に基本波発振手段と逆位相反転回路を接続して第２のＦＶ変換回路、その両方のＦＶ変換回路の出力を合成回路に加えることで互いに打ち消し合い偏移分の電圧のみが出力される。
【０００８】  ＦＭ変調回路と重複する基本波発信回路による正弦波と同じリズムで別経路にて前述基本波発振手段と逆位相反転回路を通してともに合成回路に入力することで偏移なしの状態、つまりＦＭ変調回路に加える信号が無い場合、逆位相反転回路と同じ上下の重なりで打消し合うタイミングが一致する事で歪やノイズが出ないアナログ信号が出力されることを特徴とするものである。
【発明の効果】
【０００９】  基本波発振手段をＦＭ変調回路の変調に使う事と別経路でＦＶ変換回路に通し重複して使用することで同じタイミングが一致させ、同時に一方に逆位相回路を介して通過させ合成回路に入力させるので互いに打ち消し合い出力するのでノイズや歪が少なく誤差補正信号を入力する際にＦＭ変調を掛けた出力と基本波発振手段の偏移なしの場合を比較した差分信号が出力されるので誤差補正分の信号が出てくる。この改善でサンプリング処理して得られたデジタル信号のアナログ成分とこの誤差補正分が加えられることで正確な連続した曲線波形の増幅を行うことができる。
【図面の簡単な説明】
【００１０】
【図１】ＦＭ変調回路でＦＭ偏移分の電圧を出力する回路図。
【図２】ＦＭ変調の波形と基本は波形の処理の波形の比較を示す図。
【図３】ＦＭ変調回路を用いたオーディオアンプの構成図。
【発明を実施するための形態】
【００１１】  以下、本発明の実施例の一形態を図１から図３を参照に詳細に説明する。図１は、ＦＭ変調回路でＦＶ偏移分の電圧を出力する回路図である。誤差入力信号（１）から入力端子（２）に補正信号が入る。誤差入力信号（１）は、サンプリング回路（１２）で補正用信号が検出された場合、入力端子（２）に入力するアナログ信号電圧データは誤差補正信号のみである。入力端子（２）からＦＭ変調回路（３）に接続され、基本波発振手段（５）は、ＦＭ変調用にＦＭ変調回路（３）に接続され、前述の基本波発振手段（５）は逆位相反転回路（６）に接続されている。ＦＭ変調回路（３）は、第１のＦＶ変換回路（４）へ接続、一方基本波発振手段（５）は逆位相反転回路（６）と第２のＦＶ変換回路（７）に接続されている。第１のＦＶ変換回路（４）は、ＦＭ変調による周波数の偏移による電圧波形の起伏が激しい。基本波発振手段（５）は図２の（ａ）で示すような安定した正弦波が逆位相反転回路（６）により位相が上下反対になり下向きになる。図２（ｂ）は、ＦＭ変調回路（３）から第１のＦＶ変換回路（４）の出力は、ＦＭ偏移含む波形（ｃ）になる。これを合成回路（８）に両方とも入力され第１のＦＶ変換回路（４）の出力と第２のＦＶ変換回路（７）の出力が互いに打ち消し合うことで（ｄ）に示すように出力端子（９）からアナログ信号波形出力（１０）される。
【００１２】  ＦＭ変調回路（３）で入力側に電圧がある場合、周波数が上昇することで偏移分の基本波周波数によるＦＶ変換回路の電圧上昇出力が逆位相反転回路（６）による位相反転して出力される逆電圧波形を重ねた場合、偏移分電圧が高くなるので連続した補正波形が出てくる。同じ基本波周波数と位相が同じ場合は、重ねた場合、出力は無信号の状態になる。
【００１３】  ＦＭ変調回路（３）で偏移した分の周波数が上昇した場合仮に元の周波数がＦ０とすると偏移分の周波数△Ｆが加わりＦ１とする。Ｆ１＞Ｆ０、Ｆ１はＦ０より周波数が高くＦＶ変換回路を通すと電圧はＦ０時より高い電圧値になる．偏移なしでは電圧値は同じであるので打ち消した場合は無電圧値になる。
【００１４】  図３は、ＦＭ変調回路（３）を用いたオーディオアンプの構成図である。これは先行特許文献の図１に示す図に組み込んだ図面である。この改善策で先行文献にあるようなＦＭ変調とＦＶ変換回路による補正信号以外の余分な電圧が出る欠点が解決され補正信号とサンプリング処理したアナログ信号を付け加えたＦＭ変調アンプとして機能することができるものである。ＦＭ変調アンプに組込んだ場合、サンプリング周波数発振回路と逓倍器を介して得た出力をＱ出力とすると、基本波発振手段（５）の出力と同じである。ゆえにＱ出力は、ＦＭ変調回路（３）と逆位相反転回路（６）に加えるサンプリング周波数が整数倍の基本波である。
【符号の説明】
【００１５】１    誤差入力信号
２    入力端子
３    ＦＭ変調回路
４    第１のＦＶ変換回路
５    基本波発振手段
６    逆位相反転回路
７    第２のＦＶ変換回路
８    合成回路
９    出力端子
１０  アナログ波形出力
１１  ＦＭ偏移電圧差出力回路（Ａブロック）
１２  サンプリング回路
【図１】
2015139212.tif 000003
【図２】
2015139212.tif 000004
【図３】
2015139212.tif 000005